(57)【要約】      （修正有）【課題】所望の放射能量の放射性薬液を精度よく分注することを可能とする分注容量決定装置及び分注容量決定方法を提供する。【解決手段】分注投与装置にセットされた投与用容器からの放射性薬液の分注容量を決定する分注容量決定装置７０である。この装置７０は、投与用容器に放射性薬液が収容された収容時刻と、収容時刻における投与用容器内の薬液情報と、を取得する第１情報取得手段７２と、投与用容器から放射性薬液を分注する分注時刻を取得する第２情報取得手段７４と、投与用容器から分注する放射能量を取得する第３情報取得手段７２と、これら取得した情報と、予め求められている放射性薬液の減衰特性とに基づいて、投与用容器から分注する放射性薬液の容量を決定する容量決定手段７８と、を備える。【選択図】図２
2008000202.tif 000002
【特許請求の範囲】
【請求項１】
分注投与装置にセットされた投与用容器からの放射性薬液の分注容量を決定する分注容量決定装置であって、
前記投与用容器に放射性薬液が収容された収容時刻と、該収容時刻における該投与用容器内の薬液情報と、を取得する第１情報取得手段と、
前記投与用容器から放射性薬液を分注する分注時刻を取得する第２情報取得手段と、
前記投与用容器から分注する放射能量を取得する第３情報取得手段と、
これら取得した情報と、予め求められている放射性薬液の減衰特性とに基づいて、前記投与用容器から分注する放射性薬液の容量を決定する容量決定手段と、
を備えることを特徴とする分注容量決定装置。
【請求項２】
前記投与用容器は、前記収容時刻と前記薬液情報とを記憶可能な記憶手段を有し、
前記第１情報取得手段は、前記投与用容器の前記記憶手段から前記収容時刻と前記薬液情報とを読み取る読取装置を有する、ことを特徴とする請求項１に記載の分注容量決定装置。
【請求項３】
前記第１情報取得手段は、無線により前記収容時刻と前記薬液情報とを受信することを特徴とする請求項１に記載の分注容量決定装置。
【請求項４】
分注投与装置にセットされた投与用容器からの放射性薬液の分注容量を決定する分注容量決定方法であって、
前記投与用容器に放射性薬液が収容された収容時刻と、該収容時刻における該投与用容器内の薬液情報と、を取得すると共に、
前記投与用容器から放射性薬液を分注する分注時刻を取得し、
さらに前記投与用容器から分注する放射能量を取得し、
これら取得した情報と、予め求められている放射性薬液の減衰特性とに基づいて、前記投与用容器から分注する放射性薬液の容量を決定する、
ことを特徴とする分注容量決定方法。
【発明の詳細な説明】
【技術分野】
【０００１】
本発明は、放射性薬液の分注容量決定装置及び分注容量決定方法に関する。
【背景技術】
【０００２】
放射性核種（ＲＩ）で標識した化合物を含む放射性薬液を体内に投与し、この標識化合物が体内の特定箇所に集まった様子を専用の装置で撮像することによって、疾病等を診断する核医学診断法が開発されている。この診断法では、比較的短寿命の放射性核種（例えば、ポジトロン放出核種として、15Ｏは２分、11Ｃは２０分、18Ｆは１１０分の半減期を持つ）で標識された、15Ｏ−水や11Ｃ−メチオニンや18Ｆ−ＦＤＧ（フルオロデオキシグルコース）等が放射性薬液として用いられる。
【０００３】
この放射性薬液を分注して被験者に投与する分注投与装置として、例えば特許文献１に開示されているものがある。この分注投与装置では、シリンジを用いてバイアル瓶から所定量の放射性薬液を引き出し、これを押し出して被験者に繋がるチューブ内に分注する。そして、分注された放射性液体を生理食塩水と共に送り出して、被験者に投与する。この分注投与装置では、バイアル瓶から引き出されたチューブの側方に設けられた放射能濃度センサにより、チューブ内の薬液の放射能濃度を計測し、これに基づいて必要な放射能量を得るための分注容量を算出して、算出された分注容量の放射性薬液を分注している。
【特許文献１】特開２００２−３０６６０９号公報
【発明の開示】
【発明が解決しようとする課題】
【０００４】
しかしながら、上記した従来の技術では、チューブの側方に設けられた放射能濃度センサにより放射能濃度を測定しているため、チューブのバラツキや気泡混入により必ずしも正確な放射能濃度を算出することが難しく、精度の高い分注を行えないおそれがあった。
【０００５】
本発明は、上記した事情に鑑みてなされたものであり、所望の放射能量の放射性薬液を精度よく分注することを可能とする分注容量決定装置及び分注容量決定方法を提供することを目的とする。
【課題を解決するための手段】
【０００６】
本発明に係る分注容量決定装置は、分注投与装置にセットされた投与用容器からの放射性薬液の分注容量を決定する分注容量決定装置である。この装置は、投与用容器に放射性薬液が収容された収容時刻と、収容時刻における投与用容器内の薬液情報と、を取得する第１情報取得手段と、投与用容器から放射性薬液を分注する分注時刻を取得する第２情報取得手段と、投与用容器から分注する放射能量を取得する第３情報取得手段と、これら取得した情報と、予め求められている放射性薬液の減衰特性とに基づいて、投与用容器から分注する放射性薬液の容量を決定する容量決定手段と、を備えることを特徴とする。
【０００７】
また本発明に係る分注容量決定方法は、分注投与装置にセットされた投与用容器からの放射性薬液の分注容量を決定する分注容量決定方法である。この方法は、投与用容器に放射性薬液が収容された収容時刻と、収容時刻における投与用容器内の薬液情報と、を取得すると共に、投与用容器から放射性薬液を分注する分注時刻を取得し、さらに投与用容器から分注する放射能量を取得し、これら取得した情報と、予め求められている放射性薬液の減衰特性とに基づいて、投与用容器から分注する放射性薬液の容量を決定する、ことを特徴とする。
【０００８】
この装置及び方法によれば、投与用容器への収容時刻、収容時刻における薬液情報、分注時刻、及び分注する放射能量といった取得が容易な情報と、放射性薬液の減衰特性とを利用して、投与のために分注する放射性薬液の容量を決定することができるため、分注容量を決定するためにチューブの側方に設けられた放射能濃度センサにより放射能濃度を測定する必要がなくなって、チューブにバラツキ等が生じた場合であっても、所望の放射能量の放射性薬液を精度よく分注することが可能となる。
【０００９】
投与用容器は、上記収容時刻と上記薬液情報とを記憶可能な記憶手段を有し、第１情報取得手段は、投与用容器の記憶手段から収容時刻と薬液情報とを読み取る読取装置を有することを特徴としてもよい。このようにすれば、投与用容器に放射性薬液を収容する段階で、記憶手段に収容時刻と薬液情報とを記憶させ、分注投与装置にセットするときに読取装置によりこれら情報を読み取って、これら情報を取得することができる。このとき、収容時刻と薬液情報とが投与用容器に対応しているため、異なる投与用容器の情報を誤って取得するおそれを低減することができる。
【００１０】
第１情報取得手段は、無線により上記収容時刻と上記薬液情報とを受信することを特徴としてもよい。このようにすれば、配線等の複雑化を避けることができる。
【発明の効果】
【００１１】
本発明の分注容量決定装置及び分注容量決定方法によれば、所望の放射能量の放射性薬液を精度よく分注することが可能となる。
【発明を実施するための最良の形態】
【００１２】
以下、図面を参照しながら本発明の実施形態を説明する。なお、以下の説明においては、同一の要素には同一の符号を用いることとし、重複する説明は省略する。
【００１３】
図１は、本実施形態に係る放射性液体の分注投与システム１の構成を示す図である。図１に示すように、分注投与システム１は、分注投与装置１０と制御装置７０とを備えている。分注投与装置１０は、放射性薬液を貯留する投与用容器１６を収容する収容部１４を有している。投与用容器１６は、例えば鉛やタングステン等の材料からなる放射線遮蔽箱に入ったバイアル１２を有している。そして、放射線遮蔽箱の底部には、ＩＣタグ（記憶手段）１３が設けられている。この投与用容器１６は、収容部１４に傾斜した状態で上部開口から収容され支持されている。この収容部１４内には、投与用容器１６のＩＣタグ１３から情報を非接触で読み取る読取装置１５が設けられている。
【００１４】
また分注投与装置１０は、放射性薬液を分注するためのシリンジ（薬液用吸引吐出器）１８を保持する保持部２０を有している。この保持部２０は、例えばシリンジ１８を下端から挿通して保持する筒型の容器であり、全体が放射線を遮蔽する鉛やタングステン等の材料から形成されている。
【００１５】
シリンジ１８は、シリンダ２２とこのシリンダ２２内で摺動するピストン２４とを備えている。ピストン２４の先端には、ゴム等の弾性体から形成されたパッキンが設けられている。このピストン２４には、例えばステッピングモータ等のピストン２４を押し引きする駆動装置２５が接続されている。従って、駆動装置２５によりピストン２４をシリンダ２２内で押し引きすることで、先端口から放射性薬液を吸引したり、吐出したりすることができる。
【００１６】
そして、シリンジ１８の周りには、放射能を計測するための定量センサ２６が設けられている。この定量センサ２６により、シリンジ１８に収容された放射性薬液の放射能量を計測することができる。
【００１７】
上記したバイアル１２とシリンジ１８とは、薬液搬出ラインＬ１を介して連絡されている。薬液搬出ラインＬ１の一端にはカテラン針２９が設けられており、このカテラン針２９がバイアル１２内に差し込まれる。薬液搬出ラインＬ１の他端は、薬液投与ラインＬ２及び生理食塩水を導入する生食導入ラインＬ３との接続点まで延びている。薬液搬出ラインＬ１は途中で分岐しており、分岐点でシリンジ１８と接続されている。
【００１８】
薬液搬出ラインＬ１上でこの分岐点を挟むように、一対の逆支弁２８が設けられている。これら一対の逆支弁２８により、放射性薬液の流れ方向が一方向に規制されている。
【００１９】
また分注投与装置１０は、生理食塩水パック３０から生理食塩水を薬液投与ラインＬ２に導入する生食導入ラインＬ３と、生理食塩水を吸引吐出するためのシリンジ３２を備えている。生食導入ラインＬ３の一端は生理食塩水パック３０に接続されている。生食導入ラインＬ３の他端は、薬液投与ラインＬ２及び薬液導入ラインＬ１との接続点まで延びている。生食導入ラインＬ３は途中で分岐しており、この分岐点でシリンジ（生食用吸引吐出器）３２と接続されている。このシリンジ３２は、駆動装置３３により駆動される。
【００２０】
生食導入ラインＬ３上でこの分岐点を挟むように、一対の逆支弁３４が設けられている。これら一対の逆支弁３４により、生理食塩水の流れ方向が一方向に規制されている。
【００２１】
また分注投与装置１０は、放射性薬液を被験者への投与に向けて搬送する薬液投与ラインＬ２を備えている。薬液投与ラインＬ２の一端は、薬液導入ラインＬ１及び生食導入ラインＬ３との接続点まで延びている。この接続点には三方管３６が設けられており、三つの開口にそれぞれ薬液投与ラインＬ２、薬液導入ラインＬ１及び生食導入ラインＬ３が接続されている。
【００２２】
薬液投与ラインＬ２の他端は、エアベントフィルタ３８まで延びている。エアベントフィルタ３８は、空気を遮断する。このエアベントフィルタ３８の前段には逆支弁４０が設けられており、薬液の逆流を規制している。なお、逆支弁４０は省略してもよい。薬液投与ラインＬ２は途中で分岐しており、この分岐ラインＬ４の末端には排液を収容する排液バイアル４２が接続されている。この分岐ラインＬ４上には、ピンチバルブ４４が設けられている。
【００２３】
また、薬液投与ラインＬ２の途中で分岐ラインＬ４の分岐点の後段には、ピンチバルブ４８が設けられていると共に、ピンチバルブ４８の後段には、放射性薬液の通過を検知する放射線通過センサ４６が設けられている。
【００２４】
また分注投与装置１０は、最終投与ラインＬ５を備えている。最終投与ラインＬ５の一端は、エアベントフィルタ３８に接続されている。一方、最終投与ラインＬ５の他端は、翼付針５０に接続されている。更に分注投与装置１０は、外側放射線遮蔽箱６２の外側から内側放射線遮蔽箱６０内の排液バイアル４２まで延びる排液導入ラインＬ６を備えている。排液導入ラインＬ６の外端には、ゴム等からなる密閉栓５２が設けられている。密閉栓５２は、翼付針５０を突き刺すことで、翼付針５０から排出される不要な排液を排液導入ラインＬ６を通して排液バイアル４２に収容可能になっている。
【００２５】
上記した部材が、翼付針５０が接続された最終投与ラインＬ５の一部を外に出した状態で、外側放射線遮蔽箱６０に収容されている。特に、箱１６に収容されたバイアル１２、シリンジ１８、これらを接続する薬液導入ラインＬ１、及び第１排液バイアル４２が、内側放射線遮蔽箱６２に収容されている。これら内側及び外側放射線遮蔽箱６０，６２は、放射線を遮蔽する鉛やタングステン等の材料から形成されている。そして、内側放射線遮蔽箱６２の放射線遮蔽能力が、外側放射線遮蔽箱６０の放射線遮蔽能力よりも大きく構成されている。例えば、内側放射線遮蔽箱６２は、鉛により３０ｍｍ〜５０ｍｍの厚みで形成されており、一方、外側放射線遮蔽箱６０は、鉛により５ｍｍ〜１０ｍｍの厚みで形成されている。単位面積当たりの遮蔽能力で比較すると、内側放射線遮蔽箱６２の放射線遮蔽能力は、外側放射線遮蔽箱６０の放射線遮蔽能力よりも約２２〜１０６４倍程度だけ大きく構成されている。
【００２６】
なお、生理食塩水パック３０、及びエアベントフィルタ３８から先の最終投与ラインＬ５は、外側放射線遮蔽箱６０から出し入れ可能に構成されている。
【００２７】
また、一対の逆支弁２８及び逆支弁３４はそれぞれ一体に設けられていると好ましく、またこれら一体の逆支弁２８、逆支弁３４、及び三方管３６が連続して接続されていると好ましい。このようにすれば、接続作業が容易になる。
【００２８】
制御装置７０は、読取装置１５、駆動装置２５，３３、放射線通過センサ４６、及びピンチバルブ４４，４８に電気的に接続されており、分注投与装置１０を制御すると共に分注容量決定装置として機能する。この制御装置７０は、図２に示すように、データ受付部７２、時計部７４、メモリ７６、および演算制御部７８を備えている。
【００２９】
データ受付部７２は、読取装置１５で読み取った投与用容器１６内の放射性薬液の収容時刻、及び薬液情報を受け付け、第１情報取得手段として機能する。またデータ受付部７２は、外部から操作者が入力した分注する放射能量を受け付け、第３情報取得手段として機能する。データ受付部７２は、演算制御部７８と接続されており、取得した情報を演算制御部７８に送信する。
【００３０】
時計部７４は、演算制御部７８からの要求に基づいて、分注しようとするときの分注時刻を演算制御部７８に送信し、第２情報取得手段として機能する。
【００３１】
メモリ７６には、分注投与しようとする放射性薬液の減衰特性を考慮した演算プログラムが記憶されている。演算制御部７８は、データ受付部７２から送られた収容時刻、薬液情報、及び分注放射能量と、時計部７４から送られた分注時刻とに基づいて、メモリ７２から読み出した演算プログラムにより、投与用容器１６から分注する放射性薬液の容量を算出し、容量決定手段として機能する。すなわち、放射性同位元素により放射能の減衰特性は決まっており、初期値として初期時刻とそのときの放射能濃度（或いは放射能量）が分かれば、所定時間経過した後の時刻における放射能濃度（或いは放射能量）を求めることができる。そして、このようにして求めた放射能濃度（或いは放射能量）と分注する放射能量とにより、分注する必要がある容量を求めることができる。従って、メモリ７６にはこの演算のためのプログラムが記憶されている。そして、演算制御部７８は、決定された容量の放射性薬液を抽出するように、シリンジ１８の駆動装置２５を制御する。
【００３２】
なお、図３は分注投与システム１の上流側に設けられ、合成装置１１２から投与用容器１６に放射性薬液を分注して収容する合成分注システム１００の構成を示す図である。
【００３３】
図３に示すように、合成分注システム１００は、合成分注装置１１０と制御装置１５０とを備えている。合成分注装置１１０は、合成装置１１２と、分注装置１１４と、を備えている。
【００３４】
合成装置１１２は、放射性同位元素で標識化された放射性薬液を合成する。放射性薬液としては、例えば比較的短寿命の陽電子放射性核種で標識された、15Ｏ−水や11Ｃ−メチオニンや18Ｆ−ＦＤＧ（フルオロデオキシグルコース）が挙げられる。
【００３５】
分注装置１１４は、合成装置１１２により合成された放射性薬液を分注する。分注装置１１４は、配管１２２により合成装置１１２と接続されている。この分注装置１１４は、配管１２２を通して合成装置１１２から送られてくる放射性薬液の原液を貯留する原液貯留部１２４を有している。
【００３６】
原液貯留部１２４は、原液バイアル１２６を収容する収容部１２８を有している。収容部１２８の近傍には、原液バイアル１２８に収容された放射性薬液の原液全体の放射能量を計測する放射能計測器１３０、及び原液バイアル１２８内の放射性液体の液量を計測する液量センサ１３３が設けられている。
【００３７】
また分注装置１１４は、放射性薬液の原液を分注して貯留する分注貯留部１３４を有している。分注貯留部１３４は、投与用容器１６を収容する収容部１３８を有している。収容部１３８には、投与用容器１６のＩＣタグ１３に情報を非接触で書き込む書込装置１３９が設けられている。
【００３８】
また分注装置１１４は、原液バイアル１２６から投与用容器１６へ放射性薬液を分注するのに使用するシリンジ１３８、及び放射性薬液を希釈する希釈液を供給する希釈液供給部１４０を有している。シリンジ１３８は、駆動装置１４１により駆動される。希釈液としては、蒸留水や生理食塩水が挙げられる。また分注装置１１４は、管路中の液体をパージするためのパージガス（例えば、Ｈｅガス）を供給するパージガス供給部１４２を有している。
【００３９】
これら原液貯留部１２４の原液バイアル１２６、分注貯留部１３４の投与用容器１６、シリンジ１３８、希釈液供給部１４０、及びパージガス供給部１４２は、流路切替装置１４４により互いに連通されている。流路切替装置１４４は、第１から第４の４つの三方弁を有しており、最下流の三方弁は配管１４６を介して図示しない品質検定装置に接続されている。
【００４０】
上記した合成装置１１２と分注装置１１４とが、ホットセル１１８内に収容されている。
【００４１】
制御装置１５０は、放射能計測器１３０、液量センサ１３３、書込装置１３９、駆動装置１４１、及び流路切替装置１４４に電気的に接続されており、合成分注装置１１０を制御する。制御装置１５０は、外部から操作者により入力された分注指令値に基づいて、流路切替装置１４４及び駆動装置１４１を制御して、必要放射能量の放射性液体を原液バイアル１２６から投与用容器１６に分注する。
【００４２】
制御装置１５０は、図示しない時計部を内蔵しており、投与用容器１６に放射性薬液を収容した収容時刻と、バイアル１２内の薬液情報とを、書込装置１３９を介してＩＣタグ１３に書き込む。薬液情報は、収容された放射性薬液の液量（ｍｌ）と放射能量（ＭＢｑ）及び放射能濃度（ＭＢｑ／ｍｌ）の少なくともいずれかとを含んでいる。
【００４３】
次に、本実施形態に係る分注投与システム１による放射性薬液の分注投与方法について説明する。
【００４４】
まず、図３に示すように、合成分注システム１００において、投与用容器１６に所望の放射能量の放射性薬液を分注して収容する。放射性薬液としては、例えば18Ｆ−ＦＤＧ（フルオロデオキシグルコース）や15Ｏ−水や11Ｃ−メチオニンを用いることができる。そして、投与用容器１６に放射性薬液を収容した収容時刻と、このときのバイアル１２内の薬液情報とを、書込装置１３９を介して投与用容器１６のＩＣタグ１３に書き込む。薬液情報としては、収容された放射性薬液の液量（ｍｌ）と放射能量（ＭＢｑ）及び放射能濃度（ＭＢｑ／ｍｌ）の少なくともいずれかとが含まれる。
【００４５】
次に、放射性薬液を収容した投与用容器１６を合成分注装置１１０から取り出し、図１に示す分注投与装置１０まで運んで、収容部１４にセットする。そして、カテラン針２９をバイアル１２内に差し込む。
【００４６】
次に、生理食塩水パック３０に入った生理食塩水を、生食導入ラインＬ３を介してシリンジ３２内に一定量引き込む。次に、シリンジ３２のピストンを所定量押し戻し、薬液投与ラインＬ２に生理食塩水を導入する。このとき、ピンチバルブ４４，４８を開放して、薬液投与ラインＬ２、分岐ラインＬ４及び最終投与ラインＬ５を生理食塩水で満たす。そして、ピンチバルブ４８を閉じる。
【００４７】
次に、バイアル１２に入った放射性薬液を、薬液搬出ラインＬ１を介してシリンジ１８内に一定量引き込む。次に、シリンジ１８のピストン２４を所定量押し戻し、薬液投与ラインＬ２に放射性薬液の一部を搬出する。そして、シリンジ３２のピストンを所定量押し戻し、薬液投与ラインＬ２に生理食塩水を導入する。このとき、ピンチバルブ４４は開放されているため、薬液投与ラインＬ２上に搬入された余分の放射性薬液が、分岐ラインＬ４から生理食塩水と共に排液バイアル４２に排出される。
【００４８】
この準備ができた段階で、被験者への投与に必要な放射性薬液の容量を決定する。まず、図１及び図２に示すように、データ受付部７２は、読取装置１５で読み取った投与用容器１６内の放射性薬液の収容時刻、及び薬液情報を受け付ける。またデータ受付部７２は、外部から操作者が入力した分注する放射能量を受け付ける。そして、データ受付部７２は、取得した情報を演算制御部７８に送信する。
【００４９】
次に、演算制御部７８は、時計部７４から分注しようとするときの分注時刻を取得する。そして、演算制御部７８は、データ受付部７２から送られた収容時刻、薬液情報、及び分注放射能量と、時計部７４から送られた分注時刻とに基づいて、メモリ７２から読み出した演算プログラムにより、投与用容器１６から分注する放射性薬液の容量を算出して決定する。そして、演算制御部７８は、決定された容量の放射性薬液を抽出するための、駆動装置２５によるシリンジ１８の駆動量を算出する。
【００５０】
駆動装置２５は、算出された駆動量でシリンジ１８のピストンを押し戻し、被験者への投与に必要な容量の放射性薬液を薬液投与ラインＬ２に搬出する。このとき、シリンジ１８の周りには定量センサ２６が設けられているため、シリンジ１８内の放射性薬液の放射能量を計測することで、分注された放射能量を確認することができる。このように必要量の放射性薬液が薬液投与ラインＬ２に搬出されると、放射性液体の分注分だけ生理食塩水が分岐ラインＬ４から排液バイアル４２に送られる。そして、ピンチバルブ４４を閉じる。
【００５１】
このようにして投与の準備ができた後で、ピンチバルブ４８を開くと共に、シリンジ３２のピストンを押し戻し生理食塩水を薬液投与ラインＬ２に導入して、薬液投与ラインＬ２に搬出された必要量の放射性薬液を押し流し、最終投与ラインＬ５を通して被験者に投与する。
【００５２】
なお、放射性薬液を薬液投与ラインＬ２に分注したが、時間が経過してしまって使えなくなったときや、必要量でない放射性薬液が分注されてしまったときのように、被験者への投与に適さないときは、ピンチバルブ４８を閉じピンチバルブ４４を開いた状態でシリンジ３２により生理食塩水を薬液投与ラインＬ２に導入することで、分岐ラインＬ４を通して不要な廃液を排液バイアル４２に送る。
【００５３】
以上、詳述したように本実施形態に係る分注投与システム１では、投与用容器１６への収容時刻、収容時刻における薬液情報、分注時刻、及び分注する放射能量といった取得が容易な情報と、放射性薬液の減衰特性とを利用して、投与のために分注する放射性薬液の容量を決定することができるため、分注容量を決定するためにチューブの側方に設けられた放射能濃度センサにより放射能濃度を測定する必要がなくなって、薬液搬出ラインＬ１のチューブにバラツキ等が生じた場合であっても、所望の放射能量の放射性薬液を精度よく分注することが可能となる。
【００５４】
また、投与用容器１６に放射性薬液を収容する段階で、ＩＣタグ１６に収容時刻と薬液情報とを記憶させ、分注投与装置１０にセットするときに読取装置１５によりこれら情報を読み取って、これら情報を取得することができる。このとき、収容時刻と薬液情報とが投与用容器１６に対応しているため、異なる投与用容器１６の情報を誤って取得するおそれを低減することができる。
【００５５】
また、本実施形態に係る分注投与装置１０では、放射線の放出が多い部分を内側放射線遮蔽箱６２で囲み、放射線の放出が少ない部分をより遮蔽能力の低い外側放射線遮蔽箱６０で囲んでいるため、全体を遮蔽能力の高い遮蔽箱で囲む必要がなくなって、放射線遮蔽能を高く維持しつつ軽量化を図ることが可能となる。
【００５６】
また、分注投与装置１０は、薬液投与ラインＬ２から分岐する分岐ラインＬ４と、分岐ラインＬ４に設けられたピンチバルブ４４と、分岐ラインＬ４を通して排出される排液を収容する排液バイアル４２とを備えるため、所望の放射性薬液が分注されていない場合等において、分岐ラインＬ４を通して排液バイアル４２に排出することができる。
【００５７】
そして、この排液バイアル４２も内側放射線遮蔽箱６２に収容されるため、分注投与装置１０から漏れる放射能量を一層低減することができる。
【００５８】
更に、シリンジ１８による吸引吐出点を挟むように逆支弁２８が設けられていると共に、シリンジ３２による吸引吐出点を挟むように逆支弁３４が設けられているため、三方活栓のような流路切換手段が不要になり、電気的・機構的な不具合が生じるおそれが低減され、信頼性が向上する。また、取り付けも容易になる。
【００５９】
なお、本発明は上記した実施形態に限られず、種々の変形が可能である。例えば、分注投与装置１０の読取装置１５、合成分注装置１１０の書込装置１３９、及び投与用容器１６のＩＣタグ１３を省略し、制御装置７０のデータ受付部７２は、無線或いは有線により、制御装置１５０から上記収容時刻と上記薬液情報とを直接受信してもよい。このようにすれば、配線等の複雑化を避けることができる。
【００６０】
また、分注する放射性薬液の放射能量を確認する必要がなければ、シリンジ１８の周りの定量センサ２６を省略してもよい。
【図面の簡単な説明】
【００６１】
【図１】本実施形態に係る放射性薬液の分注投与システムの構成を模式的に示す図である。
【図２】図１の分注投与システムの制御装置の構成を示すブロック図である。
【図３】本実施形態に係る放射性薬液の合成分注システムの構成を模式的に示す図である。
【符号の説明】
【００６２】
１…分注投与システム、１０…分注投与装置、１６…投与用容器、１８，３２…シリンジ、２５，３３…駆動装置、２８，３４…逆止弁、４２…排液バイアル、４４，４８…ピンチバルブ、６０…外側放射線遮蔽箱、６２…内側放射線遮蔽箱、７０…制御装置、７２…データ受付部、７４…時計部、７６…メモリ、７８…演算制御部、１００…合成分注システム、１１０…合成分注装置、１１２…合成装置、１１４…分注装置、１３９…書込装置、１５０…制御装置、Ｌ１…薬液搬出ライン、Ｌ２…薬液投与ライン、Ｌ３…生食導入ライン、Ｌ４…分岐ライン、Ｌ５…最終投与ライン。
【図１】
2008000202.tif 000003
【図２】
2008000202.tif 000004
【図３】
2008000202.tif 000005